(57)【要約】【課題】多焦点眼内レンズの挿入手術を受けなくても（挿入手術を受ける前に）、その効果、回折型と屈折型の差異、あるいはデメリットを実感・体験できる多焦点レンズシミュレーション装置及びシミュレーション方法を得る。【解決手段】略平行光で入射した光束を略平行光で射出するアフォーカル光学系を有し、該アフォーカル光学系の前方に、所定の基本屈折力と該基本屈折力に差分屈折力を加えた付加屈折力の複数の屈折力を有する多焦点サンプルレンズを収納する被検レンズ支持手段を配置し、上記アフォーカル光学系の後方から観察者が上記多焦点サンプルレンズとアフォーカル光学系を通して被観察物を観察可能であって、上記観察者の眼が配置されると想定された位置と瞳共役関係となる位置に上記被検レンズ支持手段が配置されていることを特徴とする多焦点レンズシミュレーション装置。【選択図】図１
2011098193.tif 000002
【特許請求の範囲】
【請求項１】
被観察物を観察可能である光学系と、所定の基本屈折力と該基本屈折力に差分屈折力を加えた付加屈折力の複数の屈折力を有する多焦点サンプルレンズを支持した被検レンズ支持手段とを有し、上記光学系において観察者の眼が配置されると想定された位置と瞳共役関係となる位置に上記被検レンズ支持手段が配置されていることを特徴とする多焦点レンズシミュレーション装置。
【請求項２】
略平行光で入射した光束を略平行光で射出するアフォーカル光学系を有し、該アフォーカル光学系の前方に、所定の基本屈折力と該基本屈折力に差分屈折力を加えた付加屈折力の複数の屈折力を有する多焦点サンプルレンズを収納する被検レンズ支持手段を配置し、上記アフォーカル光学系の後方から観察者が上記多焦点サンプルレンズとアフォーカル光学系を通して被観察物を観察可能であって、上記観察者の眼が配置されると想定された位置と瞳共役関係となる位置に上記被検レンズ支持手段が配置されていることを特徴とする多焦点レンズシミュレーション装置。
【請求項３】
請求項２記載の多焦点レンズシミュレーション装置において、上記アフォーカル光学系は、該アフォーカル光学系内で観察物の実像を作るケプラー式である多焦点レンズシミュレーション装置。
【請求項４】
請求項２または３記載の多焦点レンズシミュレーション装置において、上記アフォーカル光学系は双眼配置されることを特徴とする多焦点レンズシミュレーション装置。
【請求項５】
請求項３または４記載の多焦点レンズシミュレーション装置において、上記アフォーカル光学系内に作られる実像近傍に、該実像近傍の空間位置を示す指標を配置した多焦点レンズシミュレーション装置。
【請求項６】
請求項１ないし５のいずれか１項記載の多焦点レンズシミュレーション装置において、上記アフォーカル光学系の角倍率は光学系全体で略等倍である多焦点レンズシミュレーション装置。
【請求項７】
請求項６記載の多焦点レンズシミュレーション装置において、上記アフォーカル光学系は、倍率が略等しい２つのアフォーカル光学系を対向させて配置して構成されている多焦点レンズシミュレーション装置。
【請求項８】
請求項７記載の多焦点レンズシミュレーション装置において、上記２つのアフォーカル光学系はそれぞれ双眼鏡であり、上記被検レンズ支持手段は、該双眼鏡の対をなすアフォーカル光学系に対応させて、一対が備えられている多焦点レンズシミュレーション装置。
【請求項９】
請求項２ないし７のいずれか１項記載の多焦点レンズシミュレーション装置において、上記アフォーカル光学系内に可変絞りを配置した多焦点レンズシミュレーション装置。
【請求項１０】
請求項１ないし９のいずれか１項記載の多焦点レンズシミュレーション装置において、上記被検レンズ支持手段に支持される多焦点サンプルレンズは、肉眼内に水晶体の代わりに移植挿入可能な多焦点眼内レンズである多焦点レンズシミュレーション装置。
【請求項１１】
請求項１ないし１０のいずれか１項記載の多焦点レンズシミュレーション装置において、上記被検レンズ支持手段に支持される多焦点サンプルレンズは、基本屈折力がほぼゼロか、第１の屈折力及び第２の屈折力の一方がゼロであり、他方が差分屈折力を持つ屈折部分とを有する屈折型のテストピース、または回折型のテストピースであり、上記テストピースは切り替え可能である多焦点レンズシミュレーション装置。
【請求項１２】
請求項１１記載の多焦点レンズシミュレーション装置において、上記被検レンズ支持手段は、液体を保持する液体保持部を備え、この液体保持部はその内部に、上記多焦点眼内レンズと、該多焦点眼内レンズの基本屈折力を相殺する屈折力を有する相殺レンズとを保持する多焦点レンズシミュレーション装置。
【請求項１３】
略平行光で入射した光束を略平行光で射出するアフォーカル光学系を準備するステップ；
上記アフォーカル光学系の前方に、所定の基本屈折力と該基本屈折力に差分屈折力を加えた付加屈折力の複数の屈折力を有する多焦点サンプルレンズを配置するステップ；及び
上記アフォーカル光学系の射出瞳位置に観察者の眼を配置して、上記多焦点サンプルレンズと上記アフォーカル光学系を通して被観察物を観察するステップ；
を有することを特徴とする多焦点レンズシミュレーション方法。
【発明の詳細な説明】
【技術分野】
【０００１】
本発明は、多焦点レンズシミュレーション装置及びシミュレーション方法に関する。
【背景技術】
【０００２】
白内障の治療を目的として、混濁した水晶体を摘出し眼内レンズ(IOL)を挿入する手術が普及している。一方で、白内障治療目的のみではなく、老視で失いかけている調整力を補うために、多焦点眼内レンズが用いられている。多焦点眼内レンズは所定の基本屈折力と該基本屈折力に差分屈折力を加えた付加屈折力の複数の屈折力を有するものであり、レンズの表面を、エリア毎に異なる曲率半径で構成した屈折型と、回折構造にした回折型が知られているが、どちらも集光点を複数(遠方視用・近方視用)に光軸方向に分割するものである。このような構成にすることで、遠方視用・近方視用どちらかの集光点で視力が確保でき、眼鏡に頼らなくても生活が送れる利点がある。
【先行技術文献】
【特許文献】
【０００３】
【特許文献１】特許第３８１４０１７号公報
【特許文献２】特表２００７−５２７２６３号公報
【発明の概要】
【発明が解決しようとする課題】
【０００４】
しかし、２つの集光点のどちらか一方はぼけた状態にあるため、コントラストなど視認性を劣化させる要因となる。例えば、回折型ではハイライトがぎらつくグレアが、屈折型では、光の周辺に輪がかかって見えるハローという現象が出やすいなどの欠点がある。これらは眼内レンズの多焦点化による副作用であって健常眼では認識されない現象であり、多焦点眼内レンズの手術を受けた後にはじめて実感できる（つまり、術前には実感できない）。
【０００５】
特許文献１は、結像光学系の光路中に眼内レンズを配置し、網膜像に相当する像をＣＣＤ等で撮像して提示する装置である。撮像素子や表示装置を介して提示されるため、実際の人間の視覚においてどのような処理がなされるかは反映できない。
【０００６】
特許文献２は、多焦点コンタクトレンズのフィッテングを目的とし、途中で分岐した光路の片方に加入レンズを入れることで異なる視度の像を合成する装置である。実際に人間が覗くことのできる装置であるが、多焦点眼内レンズ各種の機能の違いを実感できるものではない。これは像の合成による多焦点化と実際の多焦点眼内レンズの多焦点化の光学的手法が異なる為であり、例えば屈折型などで指摘されている瞳孔径による見え方の違いなどは表現することができない。
【０００７】
本発明は、多焦点眼内レンズの挿入手術を受けなくても（挿入手術を受ける前に）、その効果、回折型と屈折型の差異、あるいはデメリットを実感・体験できる多焦点レンズシミュレーション装置及びシミュレーション方法を得ることを目的とする。
【課題を解決するための手段】
【０００８】
本発明は、遠方又は所定の距離を隔てた物体を観察できる光学系の前方に多焦点サンプルレンズを配置し、同光学系の後方から、多焦点サンプルレンズと同光学系を通して被観察物を観察すれば、多焦点サンプルレンズの装着感が実感できるという着眼に基づいてなされたものである。
【０００９】
すなわち、本発明による多焦点レンズシミュレーション装置は、被観察物を観察可能である光学系と、所定の基本屈折力と該基本屈折力に差分屈折力を加えた付加屈折力の複数の屈折力を有する多焦点サンプルレンズを支持した被検レンズ支持手段とを有し、上記光学系において観察者の眼が配置されると想定された位置と瞳共役関係となる位置に上記被検レンズ支持手段が配置されていることを特徴としている。
【００１０】
本発明による多焦点レンズシミュレーション装置の光学系は、略平行光で入射した光束を略平行光で射出するアフォーカル光学系であり、該アフォーカル光学系の前方に、所定の基本屈折力と該基本屈折力に差分屈折力を加えた付加屈折力の複数の屈折力を有する多焦点サンプルレンズを収納する被検レンズ支持手段を配置し、上記アフォーカル光学系の後方から観察者が上記多焦点サンプルレンズとアフォーカル光学系を通して被観察物を観察可能であって、上記観察者の眼が配置されると想定された位置と瞳共役関係となる位置に上記被検レンズ支持手段が配置されていることを特徴としている。
【００１１】
本発明による多焦点レンズシミュレーション装置は、多焦点サンプルレンズの光学的作用を観察者の水晶体近傍へリレーすることにより、多焦点サンプルレンズを装着した被験者と同等の見え方を体感させるものである。これを実現する為に、観察者の眼が配置されると想定された位置と瞳共役関係となる位置に被検レンズ支持手段を配置すると共に、遠方の物体を観察できるアフォーカル光学系を用いている。
【００１２】
アフォーカル光学系は、該アフォーカル光学系内で観察物の実像を作るケプラー式とする。すなわち、アフォーカル光学系にはケプラー式とガリレオ式があるが、瞳共役点が実像となるケプラー式の構成を取ることが必要である。これによって入射瞳位置に多焦点サンプルレンズを配置することが可能となり、射出瞳位置には多焦点サンプルレンズの光学的作用がリレーされる。観察者は一般的な望遠鏡と同様に水晶体が射出瞳位置にくるよう目を置くことで多焦点サンプルレンズを装着した被験者と同等の見え方を体感できる。
【００１３】
本発明による多焦点シミュレーション装置は、被観察物をより自然な状態で観察する為に両眼で観察可能とするよう双眼配置されることが望ましい。
【００１４】
アフォーカル光学系内には、その実像形成位置の近傍に、該実像近傍の空間位置を示す指標を配置することが好ましい。健常眼の調節機能は水晶体の形状変化による機能であるが、白内障の治療等で水晶体を形状変化しない眼内レンズに置換した場合、目の調節能力は失われる。よって実際に多焦点眼内レンズを装着した被験者は目の調節機能を持たないが、本発明による多焦点眼内レンズのシミュレーション装置の観察者は健常眼の観察者も想定している。健常眼の観察者は目の調節機能を持つ為、多焦点サンプルレンズ（多焦点眼内レンズあるいは等価な機能をもつテストピース）の光学的作用と調節力による作用とが混在している状態である。そこで、ケプラー式アフォーカル光学系の内部に形成する実像位置近傍に指標を配置し、健常眼の観察者がこの指標を注視することによって、目の調節力が極力働かないように誘導することが望ましい。
【００１５】
アフォーカル光学系の角倍率は光学系全体で略等倍とすることが好ましい。すなわち、観察者が被験者と同等の見え方を体感する為には、被観察物（外界の風景や物体）を裸眼の状態と同様の倍率で観察できることが必要である。その為にアフォーカル光学系はその全体として角倍率が略等倍であることが望ましい。等倍でない場合でも瞳共役条件を満たしていれば多焦点サンプルレンズの光学的作用を体感できるが、被観察物の遠近感が裸眼の状態と違ってくる為、その印象が異なる可能性がある。
【００１６】
アフォーカル光学系は、具体的には、倍率が略等しい２つのアフォーカル光学系を対向させて配置して構成することができる。ケプラー式の光学系では倒立像を正立化するため、一般にポロプリズムなどに代表される正立光学系（像反転光学系）が必要となる。しかし、このプリズムは同時に光学系の入射角を制限するものである。一般的なケプラー式の双眼鏡などでは倍率が低いものでも入射角は±10°程度が限界である。略等倍であるケプラー式の光学系では射出角も同程度であるから、見かけの視界が狭くなるということになる。そこでこの正立光学系をリレー光学系に置き換えることで略等倍であると同時に実視界（見かけの視界）を広く取ることが可能となる。より具体的には、２つの倍率が等しいアフォーカル光学系を対向させて配置することで、双方の対向した対物レンズがリレー光学系として機能し、略等倍のケプラー光学系を構成する。
【００１７】
２つのアフォーカル光学系はそれぞれ、双眼鏡を用いることができる。双眼鏡は対をなすアフォーカル光学系を備えているから、被検レンズ支持手段は、その対をなすアフォーカル光学系に対応させて一対を備えるものとする。
【００１８】
本発明による多焦点シミュレーション装置は、実際に多焦点眼内レンズ装着した被験者が瞳孔径の違いで体感する被観察物の見え方を、観察者の観察状態における瞳孔径より小さい状態で体感できるように、多焦点シミュレーション装置の内部に可変絞りを設置することが好ましい。可変絞りを絞ることにより、観察者の観察状態における瞳孔径よりも小さい瞳孔径であれば任意に設定することができる。
【００１９】
被検レンズ支持手段に支持される多焦点サンプルレンズは、実際に眼内に挿入する多焦点眼内レンズ、すなわち肉眼内に水晶体の代わりに移植挿入可能な多焦点眼内レンズとすることができる。あるいは、多焦点サンプルレンズとして、多焦点眼内レンズと光学的に等価なテストピースを用いることができる。光学的に等価なテストピースは、屈折型の多焦点眼内レンズの場合には、基本屈折力がほぼゼロか、第１の屈折力及び第２の屈折力の一方がゼロであり、他方が差分屈折力を持つ屈折部分とを有する。より具体的には、屈折力を持たない透過部分と、上記基本屈折力（実際に眼内に挿入する多焦点眼内レンズの基本屈折力（例えば２０ディオプター、以下Ｄ））との差分屈折力（例えば４Ｄ）を持つ屈折部分とを有するテストピースとすることができる。回折型の場合には、基本屈折力である０次光が屈折力を持たず、１次光が差分屈折力を持つテストピースとすることができる。また、これらの多焦点サンプルレンズは被検レンズ支持手段に設置される際、容易に切り替え可能とし、多焦点サンプルレンズの性能を比較しやすくすることが望ましい。
【００２０】
多焦点サンプルレンズとして、実際に眼内に挿入する多焦点眼内レンズを用いるときには、被検レンズ支持手段は、液体を保持する液体保持部を備え、この液体保持部は、その内部に、実際に眼内に挿入する多焦点眼内レンズと、該多焦点眼内レンズの基本屈折力を相殺する屈折力を有する相殺レンズとを保持することが好ましい。
【００２１】
アフォーカル光学系の前方に置かれる多焦点眼内レンズは、その基本的な機能が目の水晶体の置き換えである為に液体保持部内の水中に保持するのがよい。一方、多焦点眼内レンズは、水中における基本的な屈折力として２０Ｄ前後のパワーを持っているため、アフォーカル光学系の入射瞳付近の平行光束中にそのまま保持した場合は遠方の風景の観察ができない、いわば極度の近視に似た状態となってしまう。そこでこの多焦点眼内レンズの基本的屈折力を相殺する負の屈折力を有する相殺レンズと共に保持し、多焦点化された屈折力の差分のみを抽出し、これを観察者の水晶体へリレーすることが望ましい。なお等価な機能をもつテストピースの場合は基本的屈折力をゼロとすることで相殺レンズを省略することが可能である。
【００２２】
本発明は、多焦点眼内レンズのシミュレーション方法の態様では、略平行光で入射した光束を略平行光で射出するアフォーカル光学系を準備するステップ；上記アフォーカル光学系の前方に、所定の基本屈折力と該基本屈折力に差分屈折力を加えた付加屈折力の複数の屈折力を有する多焦点サンプルレンズを配置するステップ；及び上記アフォーカル光学系の射出瞳位置に観察者の眼を配置して、上記多焦点サンプルレンズと上記アフォーカル光学系を通して被観察物を観察するステップ；を有することを特徴としている。
【発明の効果】
【００２３】
本発明によれば、多焦点眼内レンズの挿入手術を受けなくても（挿入手術を受ける前に）、その効果、回折型と屈折型の差異、あるいはデメリットを実感・体験できる。
【図面の簡単な説明】
【００２４】
【図１】本発明による多焦点レンズシミュレーション装置の第一の実施形態を示す光路図である。
【図２】図１の多焦点レンズシミュレーション装置の多焦点レンズホルダの一実施形態を示す断面図である。
【図３】本発明による多焦点レンズシミュレーション装置の第二の実施形態を示す光路図である。
【図４】屈折型テストピースの構成を示す模式図である。
【図５】本発明による多焦点レンズシミュレーション装置を双眼型とした一実施形態の外観斜視図である。
【発明を実施するための形態】
【００２５】
「実施形態１」
図１、図２は、本発明による多焦点レンズシミュレーション装置の第１の実施形態を示している。この多焦点レンズシミュレーション装置は、角倍率が略等倍のアフォーカル光学系１０と、このアフォーカル光学系１０の入射瞳位置に配置した眼内レンズ支持手段（被検レンズ支持手段）２０とを有している。アフォーカル光学系１０は、無限遠物体からの平行光束が入射すれば、略平行光束が出射する光学系である。
【００２６】
アフォーカル光学系１０は、物体側から順に、正のパワーの対物レンズ群１１、正立プリズム１２、正立プリズム１３及び正のパワーの接眼レンズ群１４を有しており、正立プリズム１２と正立プリズム１３の間に結像面１５が形成される。対物レンズ群１１及び正立プリズム１２と、正立プリズム１３及び接眼レンズ群１４は、結像面１５に関し対称であり、対物レンズ群１１による観察物の実像が結像面１５に結像し（ケプラー式）、結像面１５の像がアフォーカル光学系１０の射出瞳位置に置いた観察者の眼１６によって接眼レンズ群１４を介して観察される。正立プリズム１２と正立プリズム１３は、像を正立させる正立光学系であって、各２面合計４面の反射面を有する。具体的には、例えばポロプリズムによって構成することができる。結像面１５には、例えば透明板上に描いた十字線からなる指標が装備される。接眼レンズ群１４は、観察者の視度を調整するため、光軸方向に移動可能である。
【００２７】
眼内レンズ支持手段２０は、図２に拡大して示すように、入射側と出射側の透過平行平面板２１と２２の間を液体保持空間２３としたもので、この液体保持空間２３内に保持した液体（水）内に、多焦点眼内レンズ（多焦点被検レンズ）２４と相殺レンズ２５を保持している。透過平行平面板２１と２２は、ケーシング２６に固定されており、このケーシング２６に対して着脱可能なレンズホルダ２７に、多焦点眼内レンズ２４と相殺レンズ２５が保持される。使用状態では、この多焦点眼内レンズ２４と相殺レンズ２５の間を含むケーシング２６内の空間が液体保持空間２３として液体（水）が満たされる。また、この眼内レンズ支持手段２０は、その多焦点眼内レンズ２４がアフォーカル光学系１０の入射瞳位置に位置するように配置される。多焦点眼内レンズ２４は、屈折型であると回折型であるとを問わず、水中（水晶体）での基本屈折力（例えば２０Ｄ）と、この基本屈折力に差分屈折力を加えた付加屈折力（例えば２４Ｄ）とを有するものであり、多焦点化された屈折力の差分（４Ｄ）のみを抽出する。
【００２８】
以上のアフォーカル光学系１０と眼内レンズ支持手段２０によると、観察者は、アフォーカル光学系１０の後方から眼内レンズ支持手段２０の多焦点眼内レンズ２４とアフォーカル光学系１０を通して被観察物を観察可能である。すなわち、アフォーカル光学系１０の射出瞳位置は、観察者の眼を配置可能なように、開放されている。また、観察者の眼が配置されると想定された位置と瞳共役関係となる位置に眼内レンズ支持手段２０（多焦点眼内レンズ２４）が配置されているので、アフォーカル光学系１０の前方においた眼内レンズ支持手段２０の多焦点眼内レンズ２４の光学的作用を、アフォーカル光学系１０の後方に置いた観察者の眼１６（水晶体近傍）へリレーすることができ、多焦点眼内レンズ２０を実際に装着した被験者と同等の見え方を体感させることができる。アフォーカル光学系１０の角倍率は等倍であり、観察物（外界の風景や物体）を裸眼の状態と同様の倍率で観察できる。なお、アフォーカル光学系１０の入射瞳径は多焦点眼内レンズ２４の径より大きいことが好ましい。
【００２９】
また、結像面１５近傍に置いた（描いた）指標は、観察者がこの指標を注視することによって、目の調節力が極力働かないように誘導し、差分屈折力の実感を容易にさせる。
【００３０】
次に、具体的な数値実施例１を説明する。
「数値実施例１」
表１は、数値実施例１のレンズデータである。表１において、NOは物体側から数えた面番号、Rは曲率半径、dはレンズ厚またはレンズ間隔、N(d)はｄ線の屈折率、νはアッベ数を示す。Rとｄの単位はｍｍである。面番号１から８は眼内レンズ支持手段２０（面番号５と６は多焦点眼内レンズ２４）、面番号９から２２はアフォーカル光学系１０である。眼内レンズ支持手段２０の入射角（アフォーカル光学系１０の入射角）は±10°である。
「表１」
NO          R          d          N(d)          ν
1          ∞        2.000       1.51633        64.1
2          ∞        1.000       1.33304(水)    55.8
3      -13.65        0.500       1.49176        57.4     相殺負レンズ
4        17.9        0.200       1.33304(水)    55.8
5       17.9         1.000       1.49176        57.4     眼内レンズ（20D）
6       -13.9        1.000       1.33304(水)    55.8
7          ∞        2.000       1.51633        64.1
8          ∞       30.000
9      61.392        1.920       1.69680        55.5
10    -205.56        0.600
11      37.32        3.120       1.74400        44.9
12     -37.32        1.200       1.84666        23.8
13        480        2.400
14         ∞       36.000       1.51633        64.1     正立プリズム
15         ∞        7.300
16         ∞       36.000       1.51633        64.1     正立プリズム
17         ∞        2.400
18       -480        1.200       1.84666        23.8
19      37.32        3.120       1.74400        44.9
20     -37.32        0.600
21     205.56        1.920       1.69680        55.5
22    -61.392       34.000
角倍率=0.99
面番号１５と１６の間に、結像面１５（指標）が位置する。面番号２２のd値３４は、第２２面からアイポイント（周辺光束が光軸と交わる位置）までの距離（アイレリーフ）であり、理想的な観察状態では、 アフォーカル光学系１０の射出瞳位置がこのアイポイントに一致する。
【００３１】
「実施形態２」
図３は、本発明による多焦点レンズシミュレーション装置の第２の実施形態を示している。この多焦点レンズシミュレーション装置は、角倍率が略等倍のアフォーカル光学系３０と、このアフォーカル光学系３０の入射瞳位置に配置した眼内レンズ支持手段２０とを有している。アフォーカル光学系３０の射出瞳位置には観察者の眼１６が置かれる。眼内レンズ支持手段２０は、実施形態１と同一である。
【００３２】
アフォーカル光学系３０は、２つの対称配置のケプラー式アフォーカル光学系３１と３２を有しており、この実施形態では、ケプラー式アフォーカル光学系３１と３２は、双眼鏡光学系（双眼の正立望遠鏡）からなっている。眼内レンズ支持手段２０側のケプラー式アフォーカル光学系３１は、物体側から順に、正レンズ群（双眼鏡の状態では正の接眼レンズ群）３１ａ、合計４面の反射面を有する正立光学系３１ｂ、正レンズ群（同正の対物レンズ群）３１ｃからなり、正レンズ群３１ａと正立光学系３１ｂの間に結像面（１次結像面）３１ｐが位置している。眼１６側のケプラー式アフォーカル光学系３２は、ケプラー式アフォーカル光学系３１側から順に、正レンズ群（双眼鏡の状態では正の対物レンズ群）３２ａ、合計４面の反射面を有する正立光学系３２ｂ、正レンズ群（同正の接眼レンズ群）３２ｃからなり、正立光学系３２ｂと正レンズ群３２ｃの間に結像面（２次結像面）３２ｐが位置している。正レンズ群３１ａと正レンズ群３２ｃ、正立光学系３１ｂと正立光学系３２ｂ、正レンズ群３１ｃと正レンズ群３２ａはそれぞれ、対称に配置された同一の光学系である。観察者の視度調整は、双眼鏡の視度調整機能およびフォーカシング機能をそのまま用いることができる。
【００３３】
以上の実施形態では、双眼鏡をそのまま流用したため、正立光学系３１ｂと正立光学系３２ｂが存在しているが、多焦点レンズシミュレーション装置専用の光学系を構成する場合には、この正立光学系３１ｂと正立光学系３２ｂを省略することができる。正立光学系３１ｂと正立光学系３２ｂは、例えばポロプリズムなどに代表される正立光学系（像反転光学系）で形成されるが、ポロプリズムは同時に光学系の入射角を制限するものである。これに対し、この正立光学系をリレー光学系に置き換えることで略等倍であると同時に実視界（見かけの視界）を広く取ることが可能となる。正立光学系３１ｂと正立光学系３２ｂを省略したアフォーカル光学系では、ケプラー式アフォーカル光学系３１と３２の対向した正レンズ群３１ｃと正レンズ群３２ａがリレー光学系として機能し、略等倍のケプラー光学系を構成する。
【００３４】
また、双眼鏡を流用したアフォーカル光学系３０は、対をなすアフォーカル光学系（図３の光学系を一対）を備えているから、眼内レンズ支持手段２０は、その対をなすアフォーカル光学系に対応させて一対を設けることで、双眼で観測可能なシミュレーション装置とすることができる。勿論、双眼鏡を流用せず、専用設計されたアフォーカル光学系１０またはアフォーカル光学系３０であったとしても、図１、図３の光学系及び眼内レンズ支持手段２０を左右の眼視用に一対設けることが好ましいが、図１、図３の光学系を単独に設け、片眼ずつのシミュレーション装置として用いることも可能である。
【００３５】
図５は、本発明による多焦点レンズシミュレーション装置を双眼型とした一実施形態の外観を示している。図１に示したアフォーカル光学系１０または図３に示したアフォーカル光学系３０を内蔵した光学鏡筒１０Ｂまたは３０Ｂは、左右一対が備えられており、この一対の光学鏡筒１０Ｂまたは３０Ｂの先端には、図２に示した眼内レンズ支持手段２０を設けている。この双眼型多焦点レンズシミュレーション装置によれば、双眼でシミュレーション効果を体感することができる。
【００３６】
次に、具体的な数値実施例２を説明する。
「数値実施例２」
表２は、数値実施例２のレンズデータである。面番号１から８は眼内レンズ支持手段２０（面番号５と６は多焦点眼内レンズ２４）、面番号９から２４は、ケプラー式アフォーカル光学系３１、面番号２５から４０はケプラー式アフォーカル光学系３２である。ケプラー式アフォーカル光学系３１と３２はそれぞれ角倍率８倍の同一光学系である。眼内レンズ支持手段２０の入射角（アフォーカル光学系３１の入射角）は±20°である。本実施例の場合は可変絞りを設置することができる。ケプラー式アフォーカル光学系３１と３２の間（面番号２４と２５の間）は眼内レンズ支持手段２０と瞳共役関係の位置でもあり、この位置に可変絞りを設定することでアフォーカル光学系に入射する全角度の光束を一様に絞ることができる。
「表２」
NO          R          d          N(d)          ν
1          ∞        2.000       1.51633        64.1
2          ∞        1.000       1.33304(水)    55.8
3      -13.65        0.500       1.49176        57.4     相殺負レンズ
4        17.9        0.200       1.33304(水)    55.8
5        17.9        1.000       1.49176        57.4     眼内レンズ（20D）
6       -13.9        1.000       1.33304(水)    55.8
7          ∞        2.000       1.51633        64.1
8          ∞       18.000
9      -336.4        6.496       1.62041        60.3
10    -22.388        0.232
11     26.448       11.600       1.62041        60.3
12     -21.46        2.320       1.80518        25.5
13     -188.5       20.834
14         ∞       52.850       1.51680        64.2
15         ∞        0.928
16         ∞       36.285       1.56883        56.0
17         ∞       32.434
18    -93.448        2.320       1.51742        52.2
19    485.008       35.102
20         ∞        5.800       1.51680        64.2
21    -87.904        0.348
22    734.524        2.900       1.69895        30.0
23    111.558        8.120       1.51680        64.2
24   -111.558       16.240
25    111.558        8.120       1.51680        64.2
26   -111.558        2.900       1.69895        30.0
27   -734.524        0.348
28     87.904        5.800       1.51680        64.2
29         ∞       35.102
30   -485.008        2.320       1.51742        52.2
31     93.448       32.434
32         ∞       36.285       1.56883        56.0
33         ∞        0.928
34         ∞       52.850       1.51680        64.2
35         ∞       20.834
36      188.5        2.320       1.80518        25.5
37      21.46       11.600       1.62041        60.3
38    -26.448        0.232
39     22.388        6.496       1.62041        60.3
40      336.4       20.000
角倍率=0.99
面番号３５の後方8.12（結像面３２ｐ）に、指標が位置する。面番号４０のd値20.00は、第４０面からアイポイント（周辺光束が光軸と交わる位置）までの距離（アイレリーフ）であり、理想的な観察状態では、アフォーカル光学系３０の射出瞳位置がこのアイポイントに一致する。
【００３７】
以上の実施形態では、多焦点サンプルレンズとして多焦点眼内レンズ２４を用いているが、多焦点サンプルレンズとして、多焦点眼内レンズ２４と光学的に等価なテストピースを用いることができる。図４は、屈折型の２焦点眼内レンズを想定した屈折型テストピース４０の構成を示す模式図である。テストピース４０は、遠方度数となる基本屈折力を０Ｄとして、相殺負レンズを省略できるように形成されている。テストピース４０の前面は６輪帯構造部４１となっており、図中の平行平面部分（凹部）を通過する光束が遠方焦点を受け持ち、凸球面部を通過する光束が近方焦点を受け持つ。表３はテストピース４０のパラメータを示している。表３において、ｒは凸球面部の曲率半径（mm）、n1は屈折率、fは凸球面部の焦点距離（mm）、Dは近方度数(差分屈折力)、saguは中心輪帯部の段差量(mm)をそれぞれ示している。また、中心厚ａは例えば2mm、外径ｂは例えば6mmである。
「表３」
r          41
n1        1.5
f         250
D        4.00
Sagu     0.11
【符号の説明】
【００３８】
１０  ３０  アフォーカル光学系
１１  対物レンズ群
１２  １３  正立プリズム
１４  接眼レンズ群
１５  結像面
１６  眼
２０  眼内レンズ支持手段（被検レンズ支持手段）
２１  ２２  透過平行平面板
２３  液体保持空間
２４  多焦点眼内レンズ（多焦点サンプルレンズ）
２５  相殺レンズ
３１  ３２  ケプラー式アフォーカル光学系（双眼鏡）
３１ａ  ３１ｃ  ３２ａ  ３２ｃ  正レンズ群
３１ｂ  ３２ｂ  正立光学系
３１ｐ  ３２ｐ  結像面
４０  屈折型テストピース（多焦点サンプルレンズ）
【図１】
2011098193.tif 000003
【図２】
2011098193.tif 000004
【図３】
2011098193.tif 000005
【図４】
2011098193.tif 000006
【図５】
2011098193.tif 000007